(57)【要約】【課題】  収納部材を必要とせず、省スペースでモニターを収納することができ、収納された状態でモニターの表示面を見ることができるとともに、引き出して見やすい位置にモニターを移動させること。【解決手段】  モニターを備えたシステムキッチンにおいて、吊戸棚（１）の扉（２）またはカウンターにモニターを収納する収納スペース（４）が設けられ、モニターがその収納スペースに引き出しおよび収納可能に配設され、収納されたモニターの表示面（５）が位置する扉またはカウンターの部分に透明部材（６）を備えた窓（７）が形成されている。【選択図】図１
2005270337.tif 000002
【特許請求の範囲】
【請求項１】
モニターを備えたシステムキッチンにおいて、吊戸棚の扉またはカウンターにモニターを収納する収納スペースが設けられ、モニターがその収納スペースに引き出しおよび収納可能に配設され、収納されたモニターの表示面が位置する扉またはカウンターの部分に透明部材を備えた窓が形成されていることを特徴とするシステムキッチン。
【請求項２】
吊戸棚の扉の収納スペースにモニターが収納されるシステムキッチンにおいて、モニターが、下方に引き出された状態で奥側に移動可能とされている請求項１記載のシステムキッチン。
【発明の詳細な説明】
【技術分野】
【０００１】
この出願の発明は、モニターを備えたシステムキッチンに関するものである。
【背景技術】
【０００２】
レシピやテレビなどを見ながら調理することができるようにしたシステムキッチンが知られている（たとえば、特許文献１参照）。このシステムキッチンでは、キッチンキャビネットの上方に設けられた吊戸棚の下部に収納箱を設け、収納箱内にモニターを収納している。
【特許文献１】実公平７−４４１４１号公報
【発明の開示】
【発明が解決しようとする課題】
【０００３】
しかしながら、上記特許文献１に記載されたシステムキッチンでは、モニターを備えるために、収納箱という部材を必要としており、また、収納箱を取り付けるためのスペースを吊戸棚の下部に必要としている。しかも、モニターを見る位置は吊戸棚の下部にのみ限定され、見やすい位置に変更することはできない。
【０００４】
この出願の発明は、このような事情に鑑みてなされたものであり、収納部材を必要とせず、省スペースでモニターを収納することができ、収納された状態でモニターの表示面を見ることができるとともに、引き出して見やすい位置にモニターを移動させることのできるモニターを備えたシステムキッチンを提供することを解決すべき課題としている。
【課題を解決するための手段】
【０００５】
この出願の発明は、上記の課題を解決するものとして、第１には、モニターを備えたシステムキッチンにおいて、吊戸棚の扉またはカウンターにモニターを収納する収納スペースが設けられ、モニターがその収納スペースに引き出しおよび収納可能に配設され、収納されたモニターの表示面が位置する扉またはカウンターの部分に透明部材を備えた窓が形成されていることを特徴とするシステムキッチンを提供する。
【０００６】
この出願の発明は、第２には、上記第１のシステムキッチンにおいて、吊戸棚の扉の収納スペースにモニターが収納されるシステムキッチンにおいて、モニターが、下方に引き出された状態で奥側に移動可能とされているシステムキッチンを提供する。
【発明の効果】
【０００７】
この出願の発明の第１のシステムキッチンによれば、収納部材を必要とせず、省スペースでモニターを収納することができ、また、収納された状態でモニターの表示面を見ることができるとともに、引き出して見やすい位置にモニターを移動させることができる。
【０００８】
この出願の発明の第２のシステムキッチンによれば、上記第１の効果に加え、モニターの位置を調理などの作業に支障のない位置に移動させることができる。
【発明を実施するための最良の形態】
【０００９】
以下、図面に沿ってこの出願の発明のシステムキッチンについてさらに詳しく説明する。
【００１０】
図１は、この出願の発明のシステムキッチンの一実施形態を示した正面図および断面図である。
【００１１】
図１に示したシステムキッチンでは、吊戸棚（１）の扉（２）にモニター（３）を収納する収納スペース（４）が設けられている。モニター（３）は、この収納スペース（４）に引き出しおよび収納可能に配設されている。また、図１に示したシステムキッチンでは、収納されたモニター（３）の表示面（５）が位置する扉（２）の部分に透明部材（６）を備えた窓（７）が形成されている。
【００１２】
たとえば以上の構成を有する図１に示したシステムキッチンでは、吊戸棚（１）の扉（２）に設けられた収納スペース（４）内にモニター（３）を収納することができ、収納部材を必要としない。したがって、吊戸棚（１）の下部に収納部材を取り付けるためのスペースも必要としない。モニター（３）の収納は省スペース化されている。
【００１３】
また、図１に示したシステムキッチンでは、収納状態にあるモニター（３）の表示面（５）は、吊戸棚（１）の扉（２）に形成された窓（７）から見ることができる。このように、収納状態にあってもモニター（３）の表示面（５）を見ることができ、表示面（５）を見ながら調理などの作業を行うことができる。また、モニター（３）の収納状態では、調理時などに発生する油や蒸気などが表示面（５）にかからないため、表示面（５）の汚れが防止される。
【００１４】
さらに、図１に示したシステムキッチンでは、図２に示したように、モニター（３）は、収納スペース（４）から下方に引き出すことができる。レール機構などの適宜な機構を設けることにより、モニター（３）の引き出しが可能とされる。モニター（３）を下方に引き出すことにより、視線を下方に下げることができ、表示面（５）が見やすくなる。このように、図１に示したシステムキッチンでは、モニター（３）を見る位置が可変となっている。また、モニター（３）は、図２図中に示した矢印方向、すなわち垂直方向および水平方向に回動可能とすることができ、見やすい方向にモニター（３）を向けることができる。
【００１５】
なお、図１に示したシステムキッチンでは、図３に示したように、モニター（３）が下方に引き出された状態では、モニター（３）を奥側に移動させることもできる。このモニター（３）の奥側への移動は、スライド機構などの適宜な機構により実現可能である。モニター（３）の位置が調理などの作業の邪魔になる場合には、モニター（３）を奥側に移動させることができる。これにより、調理などの作業の利便性が向上する。
【００１６】
図４は、この出願の発明のシステムキッチンの一実施形態を示した背面図および断面図である。
【００１７】
図４に示したシステムキッチンでは、カウンター（８）にモニター（３）を収納する収納スペース（４）が設けられている。モニター（３）は、この収納スペース（４）に引き出しおよび収納可能に配設されている。そして、図４に示したシステムキッチンでは、モニター（３）が収納された状態においてモニター（３）の表示面（５）が位置するカウンター（８）の部分に透明部材（６）を備えた窓（７）が形成されている。
【００１８】
このような図４に示したシステムキッチンにおいても、図１に示したシステムキッチンと同様に、カウンター（８）に設けられた収納スペース（４）内にモニター（３）を収納することができ、収納部材や収納部材を取り付けるためのスペースを必要としない。モニター（３）の収納が省スペース化されている。
【００１９】
図４に示したシステムキッチンでは、収納状態にあるモニター（３）の表示面（５）は、カウンター（８）に形成された窓（７）から見ることができる。モニター（３）が収納されていても表示面（５）を見ることができる。したがって、表示面（５）を見ながら調理などの作業などを行うことができる。また、モニター（３）の収納状態では、調理時などに発生する油や蒸気などが表示面（５）にかからないため、表示面（５）の汚れが防止される。
【００２０】
図４に示したシステムキッチンでは、図５に示したように、モニター（３）は、収納スペース（４）から後方に引き出すことができる。モニター（３）の引き出しは、レール機構などの適宜な機構により実現される。また、モニター（３）は、前方および上方への回動が可能であり、モニター（３）を立てた状態において表示面（５）を見ることができる。視線の上方への移動が可能となる。モニター（３）の回動はヒンジ機構などにより実現可能である。このように、図４に示したシステムキッチンでも、モニター（３）を見る位置は可変である。また、モニター（３）は、図５図中に示したように、水平方向に回動可能とすることもでき、見やすい方向にモニター（３）を向けることができる。
【００２１】
もちろん、この出願の発明は、以上の実施形態によって限定されるものではない。モニターの引き出し、回動、奥側への移動を可能にする機構などの細部については様々な態様が可能であることはいうまでもない。
【図面の簡単な説明】
【００２２】
【図１】図１は、この出願の発明のシステムキッチンの一実施形態を示した正面図および断面図である。
【図２】図１に示したシステムキッチンにおいてモニターを引き出したときの状態を示した要部正面図および要部断面図である。
【図３】図１に示したシステムキッチンの一形態を示した要部断面図である。
【図４】この出願の発明のシステムキッチンの一実施形態を示した要部背面図および要部断面図である。
【図５】図４に示したシステムキッチンにおいてモニターを引き出したときの状態を示した要部断面図である。
【符号の説明】
【００２３】
１    吊戸棚
２    扉
３    モニター
４    収納スペース
５    表示面
６    透明部材
７    窓
８    カウンター
【図１】
2005270337.tif 000003
【図２】
2005270337.tif 000004
【図３】
2005270337.tif 000005
【図４】
2005270337.tif 000006
【図５】
2005270337.tif 000007